(57)【特許請求の範囲】
【請求項１】
受信機本体(１)のアンテナ嵌合部(２)にアンテナ部(３)を着脱可能に嵌合して取り付けた衛星放送受信機において、アンテナ部(３)はアンテナ嵌合部(２)に嵌まるベース部(４)にアンテナホルダー(５)が起伏可能に設けられ、該アンテナホルダー(５)にアンテナ素子(51)が組み込まれており、アンテナ部(３)はアンテナホルダー(５)の起伏方向と直交する面内でアンテナホルダー(５)の向きを切換可能にアンテナ嵌合部(２)に嵌合しており、
受信器本体(１)とアンテナ素子(51)を繋ぐコードがベース部(４)に引き出し可能に収容されている衛星放送受信機。
【請求項２】
コードは、ベース部(４)に巻回されている請求項１に記載の衛星放送受信機。
【請求項３】
ベース部(４)は、受信機本体(１)とアンテナ素子(51)とを接続するコードを巻き付けて収納するリール(41)と、該リール(41)上にリール(41)対して回転可能に取り付けられたテーブル(46)とから成り、該テーブル(46)上のブラケット(49)にアンテナホルダー(５)が起伏可能に設けられ、リール(41)とアンテナ嵌合部(２)には互いに係合してリール(41)の回転を阻止する回止め手段(25)が設けられており、アンテナ部(３)をアンテナ嵌合部(２)にセットしたとき、リール(41)は回転せずテーブル(46)とアンテナホルダー(５)が一体に回転可能となる請求項１又は２に記載の衛星放送受信機。
【請求項４】
アンテナ嵌合部(２)は受信機本体(１)の上面に凹設され、ベース部(４)の下部にコードを巻回するリール(41)が設けられ、アンテナ部(３)をアンテナ嵌合部(２)に嵌合したとき、リール(41)は外部から隠れることを特徴とする請求項１乃至３の何れかに記載の衛星放送受信機。
【請求項５】
ベース部(４)の下面と、アンテナ嵌合部(２)には互いにベース部(４)を一定の角度回転させる毎に嵌合可能な凹部(44)と凸部(24)が形成されており、該凹部(44)と凸部(24)が嵌合可能となる角度毎でアンテナホルダー(５)の向きが切換可能となる請求項１乃至４の何れかに記載の衛星放送受信機。
【発明の詳細な説明】
【０００１】
【発明の属する分野】
本発明は、衛星放送受信のためのアンテナを着脱可能に具えた衛星放送受信機に関する。
【０００２】
【従来の技術及び解決しようとする課題】
本格的なラジオ衛星放送の開始を目前にして、専用受信機の開発が急がれている。衛星放送受信機は、受信機本体とアンテナ部を分離可能となし、アンテナ部だけを衛星電波を受信し易い位置、例えば窓際に置くことが考えられる。ところが、アンテナ部を受信機本体上にセットしたままでも、受信機の位置を少しずらすだけで良好な受信が可能となる場合もあり、又、衛星放送受信機は、衛星放送専用機よりも、ＦＭ放送等、衛星放送以外の放送電波を受信できる機能を持たせることの方が多いと考えられ、この場合、アンテナ部を窓際に置く必要性は少ない。アンテナ部を受信機本体から離すことは、両者を繋ぐコードが邪魔になり、又、アンテナ部が倒れ易くなり、倒れによる損傷の虞れもある。本発明は、上記問題を解決できる衛星放送受信機を明らかにするものである。
【０００３】
【課題を解決する手段】
本発明の衛星放送受信機は、受信機本体(１)のアンテナ嵌合部(２)にアンテナ部(３)を着脱可能に嵌合して取り付けた衛星放送受信機において、アンテナ部(３)はアンテナ嵌合部(２)に嵌まるベース部(４)にアンテナホルダー(５)が起伏可能に設けられ、該アンテナホルダー(５)にアンテナ素子(51)が組み込まれており、アンテナ部(３)はアンテナホルダー(５)の起伏方向と直交する面内でアンテナホルダー(５)の向きを切換可能にアンテナ嵌合部(２)に嵌合しており、受信器本体(１)とアンテナ素子(51)を繋ぐコードがベース部(４)に引き出し可能に収容されている。
【０００４】
【作用及び効果】
アンテナ部(３)を受信機本体(１)上にセットしたまま、アンテナ部(３)を起伏させ、更に、アンテナ部(３)の向きを切換えて放送電波を良好にキャッチできる。アンテナ部(３)と受信機本体(１)を繋ぐコードをアンテナ部(３)のベース部(４)に巻いておくことができるのでコードが邪魔にならず、コードを足で引っ掛けてコードを損傷したり、アンテナ部(３)や受信機本体(１)を引っ張って移動させたり、倒したりすることを防止できる。アンテナ部(３)を受信機本体(１)上にセットしたままでは良好な受信が望めない場合は、受信機本体(１)からアンテナ部(３)を外して、窓際等電波のキャッチし易い位置に置ければ可い。
【０００５】
【発明の実施の形態】
図１は、受信機本体(１)にアンテナ部(３)をセットした状態の衛星放送受信機を示している。受信機本体(１)は矩形の横長扁平筺状に形成され、上面にアンテナ部(３)を着脱可能に嵌合するためのアンテナ嵌合部(２)、スピーカ用孔群(12)及び操作ボタン列(13)を有している。受信機本体(１)の前面にはバックライト(図示せず)を具えた液晶表示窓(14)、操作ボタン列(15)、ボリュームノブ(16)等が配備されている。
【０００６】
図２は、受信機本体(１)のアンテナ嵌合部(２)にアンテナ部(３)をセットした状態の断面図であり、図３は、受信機本体(１)からアンテナ部(３)を外した状態の断面図、図４はアンテナ部(３)の分解断面図である。
【０００７】
図３に示す如く、アンテナ嵌合部(２)は、受信機本体(１)の上面に円形に凹ませて形成され、アンテナ嵌合部(２)の底板(21)中央には凸部(24)が形成されている。底板(21)の外周寄りには後記するリール(41)の回止めを図る引っ掛かり凹み(26)が形成されている。凸部(24)の中心に、アンテナ部(３)の後記する取付け座(６)の抜止め片(64)が少し余裕のある状態に嵌まる貫通孔(27)が開設されている。アンテナ嵌合部(２)の周壁(22)は全周に亘って上部が逆錐状の嵌込み案内面(23)となっている。
【０００８】
アンテナ部(３)は、上記アンテナ嵌合部(２)内に収容される円形のベース部(４)と該ベース部(４)上に起伏可能に取り付けられたアンテナホルダー(５)とによって構成される。  ベース部(４)は、コード(図示せず)を巻くリール(41)上にリール(41)と同軸に且つ相対回転可能にテーブル(46)を載せて構成される。
【０００９】
図４に示す如く、リール(41)は、上円板(43)と下円板(45)を間隔を存して重ねて形成され、下円板(45)の中央に突設した隆起部(45a)を、上円板(43)の下面に突設した筒脚(42)に嵌めて両円板(41)(45)を固定している。隆起部(45a)の下面は、前記アンテナ嵌合部底板(21)の凸部(24)が嵌まる凹部(44)となっている。下円板(45)には、前記アンテナ嵌合部(２)の引っ掛かり凹み(26)との対応位置に該凹み(26)に嵌まる引っ掛かり突部(40)が形成され、引っ掛かり凹み(26)と引っ掛かり突部(40)とによってリール(41)の回止め手段(25)を構成している。
【００１０】
テーブル(46)の下面中央には、前記リール(41)の上円板(43)の筒脚(42)に回転可能に嵌まる周壁(47)が突設され、更に周壁(47)の中心に筒軸(48)が突設されている。テーブル(46)は、リール(41)の下方から下円板(45)に嵌め込まれた取付け座(６)及びビス(65)によってリール(41)に回転可能支持される。取付け座(６)は略筒体に形成され、軸方向の中間位置に外向きフランジ(61)及び内向きフランジ(62)を有し、下端縁に抜止めフランジ(64)を有している。抜止めフランジ(64)の下端面は全周に亘って丸く湾曲した押圧面(66)であって、該押圧面(66)は後記するアンテナ保持手段(７)に対して作用する。
【００１１】
上記取付け座(６)の上端をリール(41)の下円板(45)の孔(44a)に嵌め、テーブル(46)の筒軸(48)先端を取付け座(６)に嵌めて内向きフランジ(62)に当てる。取付け座(６)の下方からビス(65)を挿入して筒軸(48)に締め込む。取付け座(６)の外向きフランジ(61)は、リール下円板(45)下面に摺接し、これによって、テーブル(46)はリール(41)から外れることなく、リール(41)とテーブル(46)は相対回転可能となる。
【００１２】
テーブル(46)上面の外端の１カ所にブラケット(49)が突設され、該ブラケット(49)にアンテナホルダー(５)がテーブル(46)に対して起伏可能に取り付けられる。アンテナホルダー(５)は、合成樹脂に形成された略円形の扁平中空体であって、内部に板状のアンテナ素子(51)が内蔵されている。アンテナホルダー(５)は、ブラケット(49)との摩擦力によって任意の角度に位置決め可能であり、アンテナ素子(51)を衛星電波をキャッチし易い最適な仰角に保持できる。
【００１３】
受信機本体(１)内には、アンテナ部(３)をアンテナ嵌合部(２)に嵌め込んだ状態で保持するアンテナ保持手段(７)及び嵌め込まれたアンテナ部(３)を常時上向きにバネ付勢する押上げ手段(８)が配備される。図５に示すアンテナ保持手段(７)は、アンテナ嵌合部(２)の下方にてアンテナ嵌合部底板(21)に接近して配備される。
【００１４】
アンテナ保持手段(７)は、底板(21)と平行な面内で枢軸(74)(75)を中心に互いに回動可能に対向配備した主レバー(71)と補助レバー(72)とによって構成される。両レバー(71)(72)の自由端側はアンテナ嵌合部底板(21)の隆起に合わせて高く屈曲しており且つ、アンテナ嵌合部の中心軸を円弧中心とする外膨らみの円弧部(73)(73)が対向して形成されている。両レバー(71)(72)の自由端は引っ張りバネ(図示せず)にて連繋され、主レバー(71)に突設したストッパ(70)によって、両レバー(71)(72)の円弧部(73)(73)を仮想円に沿わせている。円弧部(73)(73)の内縁の直径は前記取付け座(６)の抜止め片(64)の外径よりも少し小である。円弧部(73)(73)は、前記アンテナ嵌合部底板(21)の凸部(24)の貫通孔(27)に近接した位置にある。
【００１５】
両レバー(71)(72)の枢軸(74)(75)近傍に、互いに引っ掛かり合う突起(76)(77)が突設されており、主レバー(71)がバネ(図示せず)に抗して時計方向に回転すると、主レバー(71)の突起(77)に補助レバー(72)の突起(76)が押されて補助レバー(72)は反時計方向に回転し、円弧部(73)(73)の間を拡げる。主レバー(71)は枢軸(75)から外側に操作杆(78)を延長し、該操作杆(78)の先端には、受信機本体(１)から外部に臨出する指掛かり片(79)が突設されている。
【００１６】
押上げ手段(８)は、上記レバー(71)(72)の円弧部(73)(73)間の真下位置にて、押上げ部材(81)をバネ(82)にて上向き付勢して構成される。押上げ部材(81)は上端が閉塞した筒体に形成されており、受信機本体(１)の底板に突設した支持筒(17)に上下方向にスライド可能に嵌まっている。押上げ部材(81)の内部に下向きに突設した軸にバネ(82)を嵌め、バネ(82)を支持筒(17)下端に当てている。
【００１７】
押上げ部材(81)の外周に抜止め片(83)が突設され、該抜止め片(83)は支持筒(17)に開設したスリット(18)にスライド可能に嵌まり、抜止め片(83)がスリット(18)の上端縁に当たって押上げ部材(81)の支持筒(17)からの抜け出しが防止される。無負荷状態の押上げ部材(81)は、図３に示す如く、その上端がアンテナ嵌合部底板(21)の凸部(24)の高さ近傍に達している。
【００１８】
支持筒(17)の外側には、押上げ部材(81)の昇降によって作動するスイッチ(９)が配備され、前記押上げ部材(81)にはスイッチ(９)に向けてスイッチ動作アーム(17)が突設されている。スイッチアーム(17)は、支持筒(17)のスリットを上下方向にスライド可能に嵌まっている。実施例のスイッチ(９)は、受信機本体(１)上にアンテナ部(３)をセットした場合と、受信機本体(１)からアンテナ部(３)を離した場合とで、受信機本体(１)の液晶表示窓(14)のバックライトの色を変えるためのものである。尚、衛星放送受信機にＦＭ放送の受信機能を付加した場合、スイッチ(９)は、衛星放送とＦＭ放送の切換を行うものとすることができる。
【００１９】
然して、受信機本体(１)上にアンテナ部(３)をセットするには、受信機本体(１)とアンテナ部(３)を接続するコードをアンテナ部(３)のリール(41)に巻き付けて収納した状態で、アンテナ部(３)のリール(41)下面の引っ掛かり突部(40)とアンテナ嵌合部底板(21)の引っ掛かり凹み(26)を位置合わせして、アンテナ部(３)をアンテナ嵌合部(２)に押し込んで嵌める。
【００２０】
引っ掛かり突部(40)と引っ掛かり凹み(26)が嵌まり合い、又、底板(21)の凸部(24)とリール(41)の凹部(44)が嵌まり合う。これによってリール(41)の回転は阻止され、アンテナホルダー(５)を回転させてもアンテナホルダー(５)との摩擦によってリール(41)回転してコードが緩んだり、締まり過ぎたりすることはない。リール(41)はアンテナ嵌合部(２)に完全に嵌まり込んでしまうため、リール(41)に巻いたコードは外部から見えず体裁がよい。
【００２１】
アンテナ嵌合部(２)に対するアンテナ部(３)の嵌め込みにより、アンテナ部(３)の取付け座(６)下端の丸味のある押圧面(66)が、アンテナ嵌合部底板(21)中央の貫通孔(27)から、アンテナ保持手段(７)の両レバー(71)(72)の円弧部(73)(73)の内縁をバネ(図示せず)に抗して外側に押し広げつつ下降し、同時に取付け座(６)は押上げ手段(８)の押上げ部材(81)をバネ(82)に抗して押し下げる。
【００２２】
取付け座(６)の抜止めフランジ(64)が、レバー(71)(72)厚みを越えて下降すると、バネ付勢によりレバー(71)(72)間が狭まりレバー(71)(72)の円弧部(73)(73)に抜止めフランジ(64)が引っ掛かる。この状態でアンテナ部(３)に対する押し込み力を解除しても、受信機本体(１)のアンテナ嵌合部(２)にアンテナ部(３)をセットした状態を保持できる。押上げ部材(81)の下降により、スイッチ(９)が動作して液晶表示窓(14)のバックライトの色が変わる。
【００２３】
アンテナ部(３)のアンテナホルダー(５)を起こし、又、アンテナホルダー(５)を取付け座(６)を中心に回転させ、アンテナ素子(51)を放送電波を一番キャッチし易い仰角と方向に調節すればよい。受信機本体(１)からアンテナ部(３)を離して使用するには、アンテナ保持手段(７)の主レバー(71)の指掛かり片(79)を操作してレバー(71)(72)間を開く。これによって、アンテナ部(３)の取付け座(６)に対するロックが解除され、上向きにバネ(82)付勢されている押上げ部材(81)がアンテナ部(３)を押し上げる。取付け座(６)はアンテナ保持手段(７)から脱出し、主レバー(71)に対する力を解除しても、取付け座(６)がロックされることはない。
【００２４】
アンテナ部(３)に対する押し上げにより、アンテナ部(３)下部外周と、アンテナ嵌合部(２)の案内面(23)との間に隙間が生じるため、アンテナ部(３)の取出しを容易に行うことができる。アンテナ部(３)からコードを引き出しつつ、アンテナ部(３)を所望の位置にセットする。取付け座(６)に対するロックが解除され、押上げ部材(81)がアンテナ部(３)を押し上げたとき、スイッチ(９)が働いて液晶表示窓(14)のバックライトの色は元の色に戻る。
【００２５】
上記実施例は、アンテナホルダー(５)が起伏方向と直交する面内で自由に回転できる構造であるが、本発明は、これに限定されず、アンテナホルダー(５)を起伏方向と直交する面内で一定の角度毎回転させる様にしても可い。このためには、例えば図６に示す如く、アンテナ嵌合部底板(21)の中央の凸部(24)を正多角形、実施例では正方形とし、アンテナ部(３)の底面の凹部(44)を該凸部(24)に緊密に嵌合する正多角形とすればよい。図６の実施例の場合、アンテナホルダー(５)は、９０゜単位で位置決め出来る。本発明は、上記実施例の構成に限定されることはなく、特許請求の範囲で種々の変形が可能である。
【図面の簡単な説明】
【図１】衛星放送受信機の斜面図である。
【図２】図１Ａ−Ａ線に沿う断面図である。
【図３】同上において、受信機本体からアンテナ部を外した状態の断面図である。
【図４】アンテナ部り分解断面図てある。
【図５】アンテナ保持手段の平面図である。
【図６】アンテナ部底面とアンテナ嵌合部底板の他の実施例の斜面図である。
【符号の説明】
(１) 受信機本体
(２) アンテナ嵌合部
(３) アンテナ部
(４) ベース部
(５) アンテナホルダー
(51) アンテナ素子
(６) 取付け座
(７) アンテナ保持手段
(８) 押上げ手段
(９) スイッチ
【図１】
0003609633.tif 000002
【図２】
0003609633.tif 000003
【図３】
0003609633.tif 000004
【図４】
0003609633.tif 000005
【図５】
0003609633.tif 000006
【図６】
0003609633.tif 000007